(57)【要約】【課題】細片に破砕されても、固形化粧料をスポンジやパフなどの化粧具に適切に付着させることが可能で、使用性を改善することができる化粧料皿の提供を目的とする。【解決手段】底壁２ａ及びその周縁から立ち上げた周側壁２ｂを有し、細片に破砕されうる固形化粧料Ｐが充填され、かつ当該化粧料を化粧具で擦り取るための開口部３が形成された化粧料皿本体２と、該化粧料皿本体内であって上記化粧料に面して設けられ、上記周側壁に摺接しつつ下方へ向かって移動自在な環状枠体４と、該環状枠体内方に張り渡され、上記化粧料皿本体内方に向かって伸展される伸縮性を有するメッシュ状のカバー５と、上記環状枠体を上記化粧料皿本体内に保持すべく、上記周側壁内方に突出された保持部６を備えた。【選択図】図３
2008194096.tif 000002
【特許請求の範囲】
【請求項１】
底壁及びその周縁から立ち上げた周側壁を有し、細片に破砕されうる固形化粧料が充填され、かつ当該化粧料を化粧具で擦り取るための開口部が形成された化粧料皿本体と、該化粧料皿本体内であって上記化粧料に面して設けられ、上記周側壁に摺接しつつ下方へ向かって移動自在な環状枠体と、該環状枠体内方に張り渡され、上記化粧料皿本体内方に向かって伸展される伸縮性を有するメッシュ状のカバーと、上記環状枠体を上記化粧料皿本体内に保持すべく、上記周側壁内方に突出された保持部を備えることを特徴とする化粧料皿。
【発明の詳細な説明】
【技術分野】
【０００１】
本発明は、細片に破砕されても、固形化粧料をスポンジやパフなどの化粧具に適切に付着させることが可能で、使用性を改善することができる化粧料皿に関する。
【背景技術】
【０００２】
粉末化粧料を収納した化粧料容器に、粉末化粧料のパフへの付着操作を良好にする目的で、伸縮性ネットを伸展させて設けた「粉末化粧料容器の伸縮性ネットシフタ」が知られている（特許文献１参照）。
【０００３】
クリーム状化粧料を収納した化粧料容器に、簡易に適量のクリーム状化粧料をパフへ付着させる目的で、クリーム状化粧料に面して、その減少に伴って下降しうる網状の被覆体を設けた「クリーム状化粧料用コンパクト容器」が知られている（特許文献２参照）。
【特許文献１】実開昭６３−１７７４０６号公報
【特許文献２】実開昭６３−１２３１３号公報
【発明の開示】
【発明が解決しようとする課題】
【０００４】
ファンデーションやブラッシャーなどの固形化粧料の場合には、粉末化粧料やクリーム状化粧料の場合とは異なり、スポンジやパフ、筆などの化粧具を直接擦り付けることで適度な量の化粧料を簡易に取り出すことができるため、化粧料を覆うネットを設ける必要性はなかった。
【０００５】
他方、固形化粧料は粉末化粧料やクリーム状化粧料とは異なり、化粧料容器の落下などで衝撃が加わると、化粧料に割れが生じて細片化するため、その後の使用に不都合が生じるという課題があった。具体的には、細片化した化粧料をそのままにして使用しようとすると、うまくスポンジ等に化粧料を付着させることができず、また細片を取り除くのでは、化粧料として使用可能であるにもかかわらず、使わないまま捨てることとなり、不経済であるという課題があった。
【０００６】
本発明は上記従来の課題に鑑みて創案されたものであって、細片に破砕されても、固形化粧料をスポンジやパフなどの化粧具に適切に付着させることが可能で、使用性を改善することができる化粧料皿を提供することを目的とする。
【課題を解決するための手段】
【０００７】
本発明にかかる化粧料皿は、底壁及びその周縁から立ち上げた周側壁を有し、細片に破砕されうる固形化粧料が充填され、かつ当該化粧料を化粧具で擦り取るための開口部が形成された化粧料皿本体と、該化粧料皿本体内であって上記化粧料に面して設けられ、上記周側壁に摺接しつつ下方へ向かって移動自在な環状の枠体と、該環状枠体内方に張り渡され、上記化粧料皿本体内方に向かって伸展される伸縮性を有するメッシュ状のカバーと、上記環状枠体を上記化粧料皿本体内に保持すべく、上記周側壁内方に突出された保持部を備えることを特徴とする。
【発明の効果】
【０００８】
本発明にかかる化粧料皿にあっては、細片に破砕されても、固形化粧料をスポンジやパフなどの化粧具に適切に付着させることができ、使用性を改善することができる。
【発明を実施するための最良の形態】
【０００９】
以下に、本発明にかかる化粧料皿の好適な一実施形態を、添付図面を参照して詳細に説明する。本実施形態にかかる化粧料皿１は基本的には、図１〜図３に示すように、底壁２ａ及びその周縁から立ち上げた周側壁２ｂを有し、細片に破砕されうる固形化粧料Ｐが充填され、かつ当該化粧料Ｐを化粧具で擦り取るための開口部３が形成された化粧料皿本体２と、化粧料皿本体２内であって化粧料Ｐに面して設けられ、周側壁２ｂに摺接しつつ下方へ向かって移動自在な環状枠体４と、環状枠体４内方に張り渡され、化粧料皿本体２内方に向かって伸展される伸縮性を有するメッシュ状のカバー５と、環状枠体４を化粧料皿本体２内に保持すべく、周側壁２ｂ内方に突出された保持部６を備えて構成される。
【００１０】
化粧料皿本体２は、合成樹脂材で形成され、底壁２ａと、底壁２ａの周縁から立ち上げられた環状の周側壁２ｂから構成され、その上部には、固形化粧料Ｐをスポンジやパフ、筆などの化粧具で擦り取るために十分大きく開口させた開口部３が形成される。周側壁２ｂの上部には、その外面から内方に凹ませた凹部７が、周側壁２ｂの全周に環状に形成される。
【００１１】
化粧料皿本体２には、開口部３より化粧料が充填される。化粧料としては、粉末化粧料やクリーム状化粧料とは異なり、衝撃などが加わると細片に破砕されうる、硬く脆い性質を有した固形化粧料Ｐを対象とする。
【００１２】
化粧料皿本体２内には、合成樹脂材で形成された環状枠体４が、固形化粧料Ｐの上面に設けられる。環状枠体４の外径寸法は、化粧料皿本体２の周側壁２ｂの内面に摺接しつつ下方へ向かって移動自在となるように、化粧料皿本体２の内径寸法とほぼ同一若しくはそれよりも僅かに小さな大きさに形成され、また、その内径寸法は、環状枠体４を介して固形化粧料Ｐを化粧具で擦り取ることが容易となるように、十分に広く形成される。
【００１３】
環状枠体４には、その内方に張り渡してカバー５が設けられる。このカバー５は環状枠体４に、インサート成形により一体的に、あるいは接着剤などによって取り付けられる。カバー５は、伸展自在な伸縮性を有する合成樹脂材等でメッシュ状に形成される。具体的には例えば、極細繊維を伸び縮みするように網目状に編んだ布状材が用いられる。女性用ストッキングに用いられる薄手の合成繊維素材などが好ましい。この種の材料は、引き延ばして伸展させた状態から開放すると、縮んで元の状態に復原する弾性的性質を有する。また、メッシュの寸法は、細片の通過を妨げるように、ミクロンオーダーからミリメートルオーダーとされる。カバー５は、それを形成する布状材等を二重折りするなどして、形成されるメッシュの形状が不規則になり、またメッシュ寸法がさらに細かくなるようにしても良い。また、カバー５は、多孔性ゴムシートであっても良い。
【００１４】
カバー５は、適度なテンションを加えた引張状態で環状枠体４に固定される。そしてカバー５は、環状枠体４を化粧皿本体２内の固形化粧料Ｐの上面に配置することで、化粧料皿本体２内に向かって伸展可能に設けられる。
【００１５】
化粧料皿本体２の周側壁２ｂの上部には、環状枠体４の上方に位置させて、合成樹脂材で形成された保持部６が設けられる。保持部６は、環状枠体４を化粧料皿本体２内に保持すべく、周側壁２ｂ内方に突出される環状の係止部６ａと、係止部６ａの外側端部の全周から垂下させて形成された固定部６ｂとから側断面ほぼＬ字状に形成される。保持部６は、その固定部６ｂが周側壁２ｂの凹部７内に収められることで、周側壁２ｂ全周の上方に挿入される。保持部６は、化粧料皿本体２に超音波接着により固定される。具体的には、固定部６ｂの下面と容器本体２の凹部７の上面を接着し固定する。また、保持部６は、接着剤によって固定しても良い。
【００１６】
次に、本実施形態にかかる化粧料皿１の作用について説明する。製造にあたっては、あらかじめ環状枠体４にカバー５を一体的に取り付けておく。他方、化粧料皿本体２内に固形化粧料Ｐを充填する。その後、カバー５付きの環状枠体４を化粧料皿本体２の開口部３から挿入する。次いで、保持部６の固定部６ｂを化粧料皿本体２の凹部７へ上方から挿入し、保持部６を化粧料皿本体２の上部に固定する。これにより、製品もしくはパーツとしての化粧料皿１が完成する。この化粧料皿１は、容器本体８の化粧料皿収納部９などに収納固定され、化粧料容器１０が完成される。使用に際しては、化粧料容器１０の蓋体１１を開放し、化粧具をカバー５の上から擦り付けるようにする。これにより、化粧料皿本体２内の固形化粧料Ｐを化粧具に付着させることができる。
【００１７】
本実施形態にあっては、固形化粧料Ｐの全面をカバー５で覆うべく、カバー５付きの環状枠体４を化粧料皿本体２の周側壁２ｂ内面に摺接させた状態で、環状枠体４を保持部６によって化粧料皿本体２内部に保持しているので、化粧料容器１０の落下で衝撃が加わるなどして固形化粧料Ｐが破砕され、細片化したとしても、環状枠体４と周側壁２ｂの間にはほとんど隙間はなく、そしてまた環状枠体４が保持部６で保持されて化粧料皿本体２外方へ外れることがないので、これら細片が飛び散ることを防止することができる。また、破砕された細片をそのまま化粧料皿本体２内に保持することができる。さらに、カバー５をメッシュ状としたので、固形化粧料Ｐが破砕により細片化しても、カバー５の上から化粧具を擦り付けることで適切に付着させることができ、継続して無駄なく固形化粧料Ｐを使用することができる。
【００１８】
また、カバー５を化粧料皿本体２内方へ伸展される伸縮性を有するメッシュ状としたので、化粧具を押し付ければカバー５が伸びて、化粧料皿本体２の内部隅々まで自在に化粧具を擦り付けることができ、固形化粧料Ｐが残り少なくなっても、不都合なく固形化粧料Ｐを化粧具に付着させることができる。特に、使用による固形化粧料Ｐの減少に伴ってカバー５付きの環状枠体４が下方に摺動するので、カバー５を化粧料皿本体２上方に固定して取り付ける場合に比べてメッシュの伸縮性にだけ頼ることなく、わずかな力でカバーを伸展して固形化粧料Ｐを化粧具で擦り取ることが出来る。そして、押し付けていた化粧具をカバー５から離せば、カバー５は縮んで元に戻り、化粧料皿本体２の開口部３周りの外観を美麗に維持することができる。
【００１９】
特に、本実施形態にあっては、カバー５を環状枠体４に設けて、当該環状枠体４を介して化粧料皿本体２に取り付けている。このため、化粧料皿本体２に固形化粧料Ｐを充填する作業とは別に、カバー５付きの環状枠体４を準備しておくことができ、固形化粧料Ｐを充填した後にカバー５を直接化粧料皿本体２に取り付ける場合にカバー５の張り具合の調整が難しかったり、カバー５で固形化粧料Ｐを傷つけてしまうおそれがあることに比べて、カバー５の化粧料皿本体２への組み付け作業性を改善でき、生産工程を合理化することができる。加えて、保持部６を設け、保持部６を化粧料皿本体２に固定するようにしたので、環状枠体４を化粧料皿本体２に直接固定させる場合に取付が難しかったり、カバー５が破れてしまうおそれがあることに比べて、さらに組み付け作業性の改善、生産工程の合理化が可能となる。
【００２０】
上記実施形態にあっては、保持部６を環状に形成し、それに対応させて凹部７も周側壁２ｂ周りに環状に形成する場合を例示して説明したが、保持部６の固定部６ｂを、係止部６ａの周方向に沿って適宜間隔を隔てて複数形成し、固定部６ｂの形成位置に対応させて周側壁２ｂ周りに適宜間隔を隔てて凹部７を形成するようにしても良い。さらに、凹部７及び固定部６ｂを周側壁２ｂの周りに適宜間隔を隔てて複数形成することに対応させて、係止部６ａも環状ではなく、周側壁２ｂの周方向に沿って分断して形成して、複数の爪片様に周側壁２ｂ内方へ突出させるようにしても良い。
【図面の簡単な説明】
【００２１】
【図１】本発明にかかる化粧料皿の好適な一実施形態を示す側断面図である。
【図２】図１に示した化粧料皿の要部拡大側断面図である。
【図３】図１に示した化粧料皿における環状枠体の移動状態及びカバーの伸展状態を示す要部拡大側断面図である。
【符号の説明】
【００２２】
１    化粧料皿
２    化粧料皿本体
２ａ  底壁
２ｂ  周側壁
３    開口部
４    環状枠体
５    カバー
６    保持部
【図１】
2008194096.tif 000003
【図２】
2008194096.tif 000004
【図３】
2008194096.tif 000005